(57)【要約】【課題】１回使用した後、穿刺補助具から取り外すと、アウター部材内に没入した針先が再び突出することのないようにした新規な穿刺針を提供する。【解決手段】本願穿刺針１は、針２を固定したスライダー３と、該スライダー３を内腔内に軸方向に可動可能に収容し、先端に針先出口４、後端に穿刺補助具５への結合部６をそれぞれ有するアウター部材７とを備え、前記スライダー３には前記アウター部材７の内腔に摺接できる鍔部８を、針先が傾動できる部位に設けたから、穿刺補助具５に結合して検体採取用として使用した後、本願穿刺針１を穿刺補助具５から脱出させると、そのスライダー３は針先側が自然な状態で下向きに傾動し、針先２ａが針先出口４の周辺部９に突き当たってしまうために再び針先出口４から突出することがなく、衛生上の問題や血液を媒介とした感染の危険を確実に排除できるようになる。【選択図】図２
2005185712.tif 000002
【特許請求の範囲】
【請求項１】
針を固定したスライダーと、該スライダーを内腔内に軸方向に可動可能に収容し、先端に針先出口、後端に穿刺補助具への結合部をそれぞれ有するアウター部材とを備え、前記スライダーには前記アウター部材の内腔に摺接できる鍔部を、針先が傾動できる部位に設けたことを特徴とする穿刺針。
【請求項２】
前記アウター部材の内腔内壁に、前記スライダーをレベル保持させるための環状突起を設けたことを特徴とする請求項１に記載の穿刺針。
【請求項３】
前記アウター部材の針先出口の周辺部に、スライダーの針先を食い込ませるための環状の凹欠部を設けたことを特徴とする請求項１又は２に記載の穿刺針。
【発明の詳細な説明】
【技術分野】
【０００１】
本発明は血液検査のために、人体（たとえば手指の皮膚）を刺して血を出させる検体採取用の穿刺針に関するものである。
【背景技術】
【０００２】
従来、糖尿病患者が自宅において血液検査のための検体採取用として使用する穿刺針は針を固定したスライダーをアウター部材でカバーしたものが市販されている。この穿刺針は使用に際し、セットとして市販されている所定の穿刺補助具に装着し、該補助具の機能により針をアウター部材の針先出口から勢いよく突出させて手指などの皮膚に痛みを与えない程度に突き刺して血を出させる。この穿刺針は衛生上の問題から使い捨てが義務付けられており、再使用しないことになっている。
【発明の開示】
【発明が解決しようとする課題】
【０００３】
しかしながら、上記従来の穿刺針は１回使用した後、針先はアウター部材の針先出口から没するようになっているが、針先側を下向きにするとアウター部材から突出したり、突出したままになってしまうことがあり、上記の衛生上の問題を確実に排除できなかったばかりでなく、血液を媒介とした感染の危険もあった。
【０００４】
本発明は上記の点に鑑み創出したもので、その目的とするところは、１回使用した後、穿刺補助具から取り外すと、アウター部材内に没入した針先が再び突出することのないようにした新規な穿刺針を提供することにある。
【課題を解決するための手段】
【０００５】
上記目的を達成するため、本発明に係る穿刺針は、針を固定したスライダーと、該スライダーを内腔内に軸方向に可動可能に収容し、先端に針先出口、後端に穿刺補助具への結合部をそれぞれ有するアウター部材とを備え、前記スライダーには前記アウター部材の内腔に摺接できる鍔部を、針先が傾動できる部位に設けたことを特徴としている。
【０００６】
また、請求項２に係る穿刺針は、前記アウター部材の内腔内壁に、前記スライダーをレベル保持させるための環状突起を設けたことを特徴としている。
【０００７】
さらに、請求項３に係る穿刺針は、前記アウター部材の針先出口の周辺部に、スライダーの針先を食い込ませるための環状の凹欠部を設けたことを特徴としている。
【発明の効果】
【０００８】
本発明に係る穿刺針は、上述の如く、針を固定したスライダーと、該スライダーを内腔内に軸方向に可動可能に収容し、先端に針先出口、後端に穿刺補助具への結合部をそれぞれ有するアウター部材とを備え、前記スライダーには前記アウター部材の内腔に摺接できる鍔部を、針先が傾動できる部位に設けたから、穿刺補助具に結合して検体採取用として使用した後、穿刺補助具から脱出させるとスライダーは針先側が自然な状態で下向きに傾動してしまい、針先は針先出口の周辺部に突き当たってしまうために再び針先出口から突出することがなく、上記の衛生上の問題や血液を媒介とした感染の危険を確実に排除できるという優れた効果を奏するものである。
【０００９】
また、請求項２に記載の発明に係る穿刺針は、前記アウター部材の内腔内壁に、前記スライダーをレベル保持させるための環状突起を設けたから、該スライダーはその初期位置（穿刺補助具への結合前）にはアウター部材内においてレベル保持させることができ、穿刺補助具の可動部の嘴部とスライダーの尻部との結合が支障なく行われるという優れた効果を奏するとともに、検体採取用として使用した後、穿刺補助具から脱出させるときにスライダーがアウター部材から抜け出すことを確実に防止できるという副次的な効果を奏するものである。
【００１０】
さらに、請求項３に記載の発明に係る穿刺針は、前記アウター部材の針先出口の周辺部に、環状の凹欠部を設けたから、傾動した針先はアウター部材の出口周辺の凹欠部に食込んでしまい、再突出を確実に防止できるという優れた効果を奏するものである。
【発明を実施するための最良の形態】
【００１１】
次に、本発明の実施形態を図面に基づいて説明する。図１はスライダーが初期位置にてレベル保持されている本願穿刺針と穿刺補助具との対峙状態を示す断面図、図２は穿刺補助具に結合させた状態を示す本願穿刺針の断面図、図３は穿刺補助具から取り外した後にスライダーが傾動している状態を示す本願穿刺針の断面図、図４はアウター部材の針先出口の周辺部の環状凹欠部と、これに食い込んでいる針先とを示す拡大図である。
【００１２】
本願穿刺針１は、たとえば、手指の皮膚に突き刺すための針２を固定したスライダー３と、該スライダー３を内腔内に軸方向に可動可能に収容し、先端に針先出口４、後端に穿刺補助具５との結合部６を有するアウター部材７とを備えてなる。
【００１３】
前記スライダー３には前記アウター部材７の内腔内壁７ａに摺接できる鍔部８が設けられている。該鍔部８の外周面８ａは針２側が自然な状態で傾動できるようにテーパ状に形成されている。傾動した針２の針先２ａは前記アウター部材７の針先出口４の周辺部９を指向する。
【００１４】
前記アウター部材７の内腔内壁７ａには、前記スライダー３の初期位置において、該スライダー３の鍔部８をレベル保持させるための環状突起１０が設けられている。該環状突起１０によりアウター部材７内でレベル保持されたスライダー３はその針２の針先２ａが針先出口４を直に指向するとともに、スライダー３の尻部３′も前記穿刺補助具５の可動部５ａの嘴部５ｂを指向している。したがって、本願穿刺針１の結合部６を、図２の矢印Ｘの如く、穿刺補助具５に結合させると、スライダー３の尻部３′は穿刺補助具５の可動部５ａの嘴部５ｂにそのまま挿入し結合できるようになっている。
【００１５】
前記スライダー３は、前記アウター部材７の内腔内壁７ａに摺接する鍔部８のトップ部８ａ′を中心にして針側Ａと尻部側Ｂとに重さの差ができるように構成されている。したがって、針側Ａが重ければ、図３の如く、針側が下がり、尻部側が上がるように傾動するが、逆に、尻部側を針側より重くして尻部側を下げ、針側を上げるように傾動させても同一の結果が得られることは勿論である。なお、前記スライダー３の尻部３′は図示の例では鍔部８の後端面にアンダーカットにより形成され、該アンダーカット部に前記穿刺補助具５の可動部５ａの嘴部５ｂが嵌入するようにしている。これは図３の如く、本願穿刺針１を穿刺補助具５から取り外した瞬間に、スライダー３の尻部３′が前記可動部５ａの嘴部５ｂによって蹴り上げられるように構成している。
【００１６】
前記環状突起１０は、本願穿刺針１を穿刺補助具５から取り外すときに、スライダー３が穿刺補助具５に追従してアウター部材７から抜け出ることを防止する機能をも有している。すなわち、穿刺補助具５に結合させてある本願穿刺針１を、図３の矢印の如く、取り外したとき、本願穿刺針１のスライダー３は鍔部８が前記環状突起１０に当たって制止され、アウター部材７から抜け出ないようにしている。かくして、フリーになったスライダー３は上述の如く自然な状態（重さのバランス）で傾動することとなる。
【００１７】
前記アウター部材７の針先出口４の周辺部９には、図４の如く、環状凹欠部１１がアンダーカットにより設けられている。該凹欠部１１は上述の如くスライダー３が穿刺補助具５との結合状態から脱してフリーになったときに自然な状態で傾動するが、該傾動した針先が前記凹欠部１１に食込んだときは、本願穿刺針１を針先側を下向きにして振っても針を再突出することを皆無にするものである。
【００１８】
なお、前記穿刺補助具５の構成は本図において詳細には示されていないが、前記可動部５ａを図示しないバネ部材に抗して後方（図において右方向）への引き作動及び引いた状態を維持するセットレバーと、そのセット位置を解除する解除釦とを備えている。すなわち、本願穿刺針１を穿刺補助具５に結合した後、セットレバーをバネ部材に抗して操作すると可動部５ａが後方に引かれた状態を保ち、次いで、セット解除釦を操作すると、可動部５ａがバネ部材の作用により勢い良く前進するように構成されている。
【００１９】
次に、本願穿刺針１の作用について説明する。まず、本願穿刺針１をそのアウター部材７の結合部６を、図２の矢印Ｘの如く、穿刺補助具５の先端側に結合させる。この場合、アウター部材７の内腔内のスライダー３は、当初（初期位置）では針２の針先２ａがアウター部材７の針先出口４を直に指向し、かつ、尻部３′も穿刺補助具５の可動部５ａの嘴部５ｂを指向しているため自然な状態で結合できる。
【００２０】
かくして、本願刺針１を穿刺補助具５に結合させた後、該穿刺補助具５のセットレバー（図示せず）を操作して可動部５ａを後方に引くと、可動部５ａの嘴部５ｂに結合されているスライダー３も後方に引かれてセットされる。
【００２１】
次いで、アウター部材７の針先出口４の外端面４ａを人体（たとえば手指）の皮膚に当てる。しかる後、セット解除釦（図示せず）を押すと、可動部５ａとともにスライダー３が前進してアウター部材７の針先出口４より針２の針先２ａが突出して皮膚に痛くない程度に突き刺さり、血を出させる（ほぼ小豆大）。
【００２２】
本願刺針１は、皮膚から血を出させることにより検体採取用としての目的を達するが、その後は本願刺針１を、図３の矢印Ｙの如く、穿刺補助具５から取り外して廃棄することになる。しかして、穿刺補助具５から取り外された本願穿刺針１は、同図の如く、スライダー３の鍔部８が前記環状突起１０に当たってアウター部材７内にとどまると同時に、スライダー３の針２の針先２ａが重さの差により傾動し、アウター部材７の針先出口４の周辺部９（環状凹欠部１１）を指向するようになる。すなわち、スライダー３の針２の針先は再突出が確実に禁止されるとともに、衛生上の問題及び針先に付着した血液を媒介とする感染の危険も払拭できることとなる。
【産業上の利用可能性】
【００２３】
本願穿刺針１は、針２を金属製、スライダー３及びアウター部材７をプラスチック製にすることができる。また、スライダー３は針２を含めてオールプラスチックにすることも可能である。さらに、スライダー３の傾動をスムーズに行わせるために、その鍔部８のトップ部８ａ′を中心とする針側と尻部側とに重さの差ができるようにするほか、鍔部８のトップ部８ａ′とアウター部材７の内腔壁との好ましい隙間（ガタが必要以上に大きくならない状態にて）画定することが重要である。
【図面の簡単な説明】
【００２４】
【図１】スライダーが初期位置にてレベル保持されている本願穿刺針と穿刺補助具との対峙状態を示す断面図である。
【図２】穿刺補助具に結合させた状態を示す本願穿刺針の断面図である。
【図３】穿刺補助具から取り外した後にスライダーが傾動している状態を示す本願穿刺針の断面図である。
【図４】アウター部材の針先出口の周辺部の環状凹欠部と、これに食い込んでいる針先とを示す拡大図である。
【符号の説明】
【００２５】
１  本願穿刺針
２  針
２ａ  針先
３  スライダー
３′  尻部
４  針先出口
５  穿刺補助具
５ａ  可動部
５ｂ  嘴部
６  結合部
７  アウター部材
７ａ  内腔内壁
８  鍔部
８ａ  外周面
８ａ′  トップ部
９  針先出口の周辺部
１０  環状突起
１１  環状凹欠部
【図１】
2005185712.tif 000003
【図２】
2005185712.tif 000004
【図３】
2005185712.tif 000005
【図４】
2005185712.tif 000006